【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
上殻体と、
下殻体と、
回路板と、
複数の充電池を含むゲームコントローラであって、
前記上殻体が、複数のメニューボタン、複数の制御ボタン、方向パッド、少なくとも２本のジョイスティック、少なくとも２つのスピーカーを含み、
前記下殻体が、複数のトリガーボタン、複数のネジ孔、イヤホンジャック、ユニバーサルシリアルバスポート（ＵＳＢポート）を含み、
前記複数のネジ孔が前記上殻体に合わせて設けられ、
前記下殻体が下方から前記上殻体に組み込まれ、
前記上殻体と前記下殻体が、ひとつのＵ字型構造体を形成するように組み合わされ、
前記Ｕ字型構造体は、Ｕ字の縦線に相当する２つの部分の間に、携帯型タブレットをはめ込むための空間を有し、
前記携帯型タブレットは、前記Ｕ字型構造体によって固定される
ことを特徴とするゲームコントローラ。
【請求項２】
前記回路板が前記下殻体内に設置され、
前記複数の充電池が前記下殻体内に設置され、
前記回路板が前記複数の充電池に電気的に接続された、
ことを特徴とする、請求項１に記載のゲームコントローラ。
【請求項３】
前記複数のメニューボタンが、選択ボタンとスタートボタンを含み、
前記選択ボタンが、前記上殻体上の一端に設置され、
前記スタートボタンが、前記上殻体上の前記選択ボタンの反対端に設置され、
前記複数の制御ボタンが、前記上殻体上の前記スタートボタンの下方に設置され、
前記方向パッドが、前記上殻体上の前記複数の制御ボタンの反対端に設置された、
ことを特徴とする、請求項１に記載のゲームコントローラ。
【請求項４】
前記選択ボタンが、前記回路板に電気的に接続され、
前記スタートボタンが、前記回路板に電気的に接続され、
前記複数の制御ボタンが、前記回路板に電気的に接続され、
前記方向パッドが、前記回路板に電気的に接続された、
ことを特徴とする、請求項３に記載のゲームコントローラ。
【請求項５】
前記少なくとも２本のジョイスティックが、第１ジョイスティック及び第２ジョイスティックを含み、
前記第１ジョイスティックが、前記上殻体上の前記方向パッドの上方に設置され、
前記第２ジョイスティックが、前記上殻体上の前記複数の制御ボタンの上方に設置され、
前記少なくとも２つのスピーカーが、前記上殻体上の前記方向パッドと前記複数の制御ボタンの下方に設置され、
前記複数のソーラーパネルが、前記上殻体上の前記少なくとも２つのスピーカーに隣接して設置された、
ことを特徴とする、請求項１に記載のゲームコントローラ。
【請求項６】
前記第１ジョイスティックが、前記回路板に電気的に接続され、
前記第２ジョイスティックが、前記回路板に電気的に接続され、
前記少なくとも２つのスピーカーが、前記回路板に電気的に接続され、
前記複数のソーラーパネルが、前記回路板に電気的に接続された、
ことを特徴とする、請求項５に記載のゲームコントローラ。
【請求項７】
前記複数のトリガーボタンが、上左ボタン、下左ボタン、上右ボタン、下右ボタンを含み、
前記上左ボタンと前記下左ボタンが、前記下殻体内に前記第１ジョイスティックに対して垂直に設置され、
前記上右ボタンと前記下右ボタンが、前記上左ボタンと前記下左ボタンの反対端に設置され、
前記イヤフォンジャックと前記ユニバーサルシリアルバスポート（ＵＳＢポート）が前記下殻体の周囲の側面に設置され、
前記イヤフォンジャックと前記ユニバーサルシリアルバスポート（ＵＳＢポート）が、前記回路板に電気的に接続された、
ことを特徴とする、請求項１に記載のゲームコントローラ。
【請求項８】
前記回路板が、複数の電解コンデンサ、複数のコンデンサ、複数のスイッチ、複数の抵抗器、複数の可変抵抗器、結晶共振器、複数のＩＣチップ、ＩＲ信号コントローラを含み、
前記複数の電解コンデンサが、前記複数のコンデンサと前記複数の抵抗器に電気的に接続され、
前記結晶共振器が、前記複数のコンデンサに電気的に接続され、
前記結晶共振器と前記複数の抵抗器が、前記複数のＩＣチップに電気的に接続され、
前記複数の可変抵抗器が、前記複数のＩＣチップに電気的に接続され、
前記複数のスイッチが、前記回路板に電気的に接続され、
前記複数のＩＣチップが、前記回路板に電気的に接続され、
前記ＩＲ信号コントローラが、前記回路板に電気的に接続された、
ことを特徴とする、請求項１に記載のゲームコントローラ。
【請求項９】
上殻体と、
下殻体と、
回路板と、
複数の充電池を含むゲームコントローラであって、
前記上殻体は、複数のメニューボタンと、複数のコントロールボタンと、方向パッドと、少なくとも２本のジョイスティックと、少なくとも２つのスピーカーと、複数のソーラーパネルとを含み、
前記下殻体は、複数のトリガーボタンと、複数のネジ孔と、イヤホンジャックと、ユニバーサルシリアルバスポート（ＵＳＢポート）とを含み、
前記複数のネジ孔が前記上殻体に合わせて設けられ、
前記上殻体と前記下殻体が、ひとつのＵ字型構造体を形成するように組み合わされ、
前記Ｕ字型構造体は、Ｕ字の縦線に相当する２つの部分の間に、携帯型タブレットをはめ込むための空間を有し、
前記携帯型タブレットは、前記Ｕ字型構造体によって固定され、
前記回路板が前記下殻体内に設置され、
前記複数の充電池が前記下殻体内に設置され、
前記回路板が複数の充電池と電気的に接続されている
ことを特徴とするゲームコントローラー。
【請求項１０】
前記複数のメニューボタンが、選択ボタンとスタートボタンを含み、
前記選択ボタンが、前記上殻体上の一端に設置され、
前記スタートボタンが、前記上殻体上の前記選択ボタンの反対端に設置され、
前記複数の制御ボタンが、前記上殻体上の前記スタートボタンの下方に設置され、
前記方向パッドが、前記上殻体上の前記複数の制御ボタンの反対端に設置された、
ことを特徴とする、請求項９に記載のゲームコントローラ。
【請求項１１】
前記選択ボタンが、前記回路板に電気的に接続され、
前記スタートボタンが、前記回路板に電気的に接続され、
前記複数の制御ボタンが、前記回路板に電気的に接続され、
前記方向パッドが、前記回路板に電気的に接続された、
ことを特徴とする、請求項１０に記載のゲームコントローラ。
【請求項１２】
前記少なくとも２本のジョイスティックが、第１ジョイスティック及び第２ジョイスティックを含み、
前記第１ジョイスティックが、前記上殻体上の前記方向パッドの上方に設置され、
前記第２ジョイスティックが、前記上殻体上の前記複数の制御ボタンの上方に設置され、
前記少なくとも２つのスピーカーが、前記上殻体上の前記方向パッドと前記複数の制御ボタンの下方に設置され、
前記複数のソーラーパネルが、前記上殻体上の前記少なくとも２つのスピーカーに隣接して設置された、
ことを特徴とする、請求項９に記載のゲームコントローラ。
【請求項１３】
前記第１ジョイスティックが、前記回路板に電気的に接続され、
前記第２ジョイスティックが、前記回路板に電気的に接続され、
前記少なくとも２つのスピーカーが、前記回路板に電気的に接続され、
前記複数のソーラーパネルが、前記回路板に電気的に接続された、
ことを特徴とする、請求項１２に記載のゲームコントローラ。
【請求項１４】
前記複数のトリガーボタンが、上左ボタン、下左ボタン、上右ボタン、下右ボタンを含み、
前記上左ボタンと前記下左ボタンが、前記下殻体内に前記第１ジョイスティックに対して垂直に設置され、
前記上右ボタンと前記下右ボタンが、前記上左ボタンと前記下左ボタンの反対端に設置され、
前記イヤフォンジャックと前記ユニバーサルシリアルバスポート（ＵＳＢポート）が前記下殻体の周囲の側面に設置され、
前記イヤフォンジャックと前記ユニバーサルシリアルバスポート（ＵＳＢポート）が、前記回路板に電気的に接続された、
ことを特徴とする、請求項１２に記載のゲームコントローラ。
【請求項１５】
前記回路板が、複数の電解コンデンサ、複数のコンデンサ、複数のスイッチ、複数の抵抗器、複数の可変抵抗器、結晶共振器、複数のＩＣチップ、ＩＲ信号コントローラを含み、
前記複数の電解コンデンサが、前記複数のコンデンサと前記複数の抵抗器に電気的に接続され、
前記結晶共振器が、前記複数のコンデンサに電気的に接続され、
前記結晶共振器と前記複数の抵抗器が、前記複数のＩＣチップに電気的に接続され、
前記複数の可変抵抗器が、前記複数のＩＣチップに電気的に接続され、
前記複数のスイッチが、前記回路板に電気的に接続され、
前記複数のＩＣチップが、前記回路板に電気的に接続され、
前記ＩＲ信号コントローラが、前記回路板に電気的に接続された、
ことを特徴とする、請求項１２に記載のゲームコントローラ。
【請求項１６】
上殻体と、
下殻体と、
回路板と、
複数の充電池を含むゲームコントローラであって、
前記上殻体は、複数のメニューボタンと、複数の制御ボタンと、方向パッドと、少なくとも２本のジョイスティックと、少なくとも２つのスピーカーとを含み、
前記下殻体は、複数のトリガーボタンと、複数のネジ孔と、イヤホンジャックと、ユニバーサルシリアルバスポート（ＵＳＢポート）とを含み、
前記複数のネジ孔が前記上殻体に合わせて設けられ、
前記下殻体が下方から前記上殻体に組み込まれ、
前記上殻体と前記下殻体が、ひとつのＵ字型構造体を形成するように組み合わされ、
前記Ｕ字型構造体は、Ｕ字の縦線に相当する２つの部分の間に、携帯型タブレットをはめ込むための空間を有し、
前記携帯型タブレットは、前記Ｕ字型構造体によって固定され、
前記回路板が前記下殻体内に設置され、
前記複数の充電池が前記下殻体内に設置され、
前記回路板が前記複数の充電池と電気的に接続されている
ことを特徴とする、ゲームコントローラ。
【請求項１７】
前記複数のメニューボタンが、選択ボタンとスタートボタンを含み、
前記選択ボタンが、前記上殻体上の一端に設置され、
前記スタートボタンが、前記上殻体上の前記選択ボタンの反対端に設置され、
前記複数の制御ボタンが、前記上殻体上の前記スタートボタンの下方に設置され、
前記方向パッドが、前記上殻体上の前記複数の制御ボタンの反対端に設置され、
前記選択ボタンが、前記回路板に電気的に接続され、
前記スタートボタンが、前記回路板に電気的に接続され、
前記複数の制御ボタンが、前記回路板に電気的に接続され、
前記方向パッドが、前記回路板に電気的に接続された
ことを特徴とする、請求項１６に記載のゲームコントローラ。
【請求項１８】
前記少なくとも２本のジョイスティックが、第１ジョイスティック及び第２ジョイスティックを含み、
前記第１ジョイスティックが、前記上殻体上の前記方向パッドの上方に設置され、
前記第２ジョイスティックが、前記上殻体上の前記複数の制御ボタンの上方に設置され、
前記少なくとも２つのスピーカーが、前記上殻体上の前記方向パッドと前記複数の制御ボタンの下方に設置され、
前記複数のソーラーパネルが、前記上殻体上の前記少なくとも２つのスピーカーに隣接して設置され、
前記第１ジョイスティックが、前記回路板に電気的に接続され、
前記第２ジョイスティックが、前記回路板に電気的に接続され、
前記少なくとも２つのスピーカーが、前記回路板に電気的に接続され、
前記複数のソーラーパネルが、前記回路板に電気的に接続された、
ことを特徴とする、請求項１６に記載のゲームコントローラ。
【請求項１９】
前記複数のトリガーボタンが、上左ボタン、下左ボタン、上右ボタン、下右ボタンを含み、
前記上左ボタンと前記下左ボタンが、前記下殻体内に前記第１ジョイスティックに対して垂直に設置され、
前記上右ボタンと前記下右ボタンが、前記上左ボタンと前記下左ボタンの反対端に設置され、
前記イヤフォンジャックと前記ユニバーサルシリアルバスポート（ＵＳＢポート）が前記下殻体の周囲の側面に設置され、
前記イヤフォンジャックと前記ユニバーサルシリアルバスポート（ＵＳＢポート）が、前記回路板に電気的に接続された、
ことを特徴とする、請求項１６に記載のゲームコントローラ。
【請求項２０】
前記回路板が、複数の電解コンデンサ、複数のコンデンサ、複数のスイッチ、複数の抵抗器、複数の可変抵抗器、結晶共振器、複数のＩＣチップ、ＩＲ信号コントローラを含み、
前記複数の電解コンデンサが、前記複数のコンデンサと前記複数の抵抗器に電気的に接続され、
前記結晶共振器が、前記複数のコンデンサに電気的に接続され、
前記結晶共振器と前記複数の抵抗器が、前記複数のＩＣチップに電気的に接続され、
前記複数の可変抵抗器が、前記複数のＩＣチップに電気的に接続され、
前記複数のスイッチが、前記回路板に電気的に接続され、
前記複数のＩＣチップが、前記回路板に電気的に接続され、
前記ＩＲ信号コントローラが、前記回路板に電気的に接続された、
ことを特徴とする、請求項１６に記載のゲームコントローラ。
【手続補正２】
【補正対象書類名】明細書
【補正対象項目名】０００２
【補正方法】変更
【補正の内容】
【０００２】
近年、ｉＰａｄ（登録商標）などの携帯型タブレットコンピュータが一般の人々の間で非常に人気を博している。携帯型タブレットは、ウェブ閲覧や電子メールの作成、ゲームなどさまざまなタスクを行う手段を提供している。そのうち、ビデオゲームは最も人気のあるジャンルの一つである。しかし、ビデオゲームで遊ぶときは通常ユーザーが正確にコマンドを入力できる高精度のコントローラが必要となる。しかしながら、現在、ユーザーにとって使いやすく、快適であると同時に、正確で高精度のフィードバックを提供する携帯型タブレットコンピュータ用のビルトイン型コントローラはない。
【手続補正３】
【補正対象書類名】明細書
【補正対象項目名】０００８
【補正方法】変更
【補正の内容】
【０００８】
本発明のゲームコントローラは、上殻体１、下殻体２、回路板３、複数の充電池４を含む。回路板３と複数の充電池４は下殻体２内に設置される。上殻体１は下殻体２に結合される。複数の充電池４は本発明の主要な電源である。複数の充電池４は回路板３に電気的に接続される。複数の充電池４は、コンセントと本発明間を接続する外部電源コードによって充電される。上殻体１は殻体として設計され、延長されたＵ字形の形状を備えている。上殻体１は、左垂直セクション、右垂直セクション、水平セクションを備えている。上殻体１は高強度のプラスチック製であり、上殻体１の重量は軽量にすることができる。上殻体１の色は、白または黒とすることができるが、これに限定されない。上殻体１は、複数のメニューボタン１１、複数の制御ボタン１２、方向パッド１３、少なくとも２本のジョイスティック１４、少なくとも２つのスピーカー１５、複数のソーラーパネル１６を備えている。
上殻体１と下殻体２は組み合わされ、図１に示すようにＵ字型の構造体を構成する。Ｕ字の縦線に相当する部分の間には空間があり、図６に示すように携帯型タブレットをはめ込むことができるようになっている。図６に示すように、携帯型タブレットは、Ｕ字型構造の３つの部分（Ｕという文字の２つの縦線に相当する部分と１つの横線に相当する部分）によって固定される。